(57)【要約】【課題】レジストレーションマークが付加された印刷物とマッチングしない後処理用ＪＤＦデータに基づく後処理を防止する。【解決手段】管理装置は、原稿のページ画像を面付けし、余白領域にレジストレーションマークをジョブ毎に異なる形態で付加した面付けデータを作成し、面付けデータに基づいて印刷データ及び印刷設定データを作成して画像形成装置に送信すると共に、印刷物に対する後処理を指示する後処理設定データを作成して後処理装置に送信し、画像形成装置は、印刷データ及び印刷設定データに基づいて印刷物を作成し、後処理装置は、後処理設定データを解析してレジストレーションマークを特定し、印刷物に印刷されたレジストレーションマークと後処理設定データで特定されるレジストレーションマークとを比較可能にし、印刷物に対応する後処理設定データを選択させる。【選択図】図５
2019104614.tif 000002
【特許請求の範囲】
【請求項１】
印刷及び後処理を指示する管理装置と、印刷を実行して印刷物を作成する画像形成装置と、前記印刷物に対して後処理を実行する後処理装置と、が通信可能に接続された印刷システムであって、
前記管理装置は、
ジョブで指定された原稿のページ画像を面付けし、余白領域に後処理で使用するレジストレーションマークをジョブ毎に異なる形態で付加した面付けデータを作成する面付け部と、
前記面付けデータに基づいて印刷を指示する印刷データ及び印刷設定データを作成して前記画像形成装置に送信すると共に、前記面付けデータに基づいて前記印刷物に対する後処理を指示する後処理設定データを作成して前記後処理装置に送信するジョブ管理部と、を備え、
前記画像形成装置は、
前記印刷データ及び前記印刷設定データに基づいて、前記原稿のページ画像と前記レジストレーションマークとを用紙に印刷して前記印刷物を作成する印刷処理部を備え、
前記後処理装置は、
前記後処理設定データを解析して前記レジストレーションマークを特定する解析部と、
前記印刷物に印刷されたレジストレーションマークと、前記後処理設定データで特定されるレジストレーションマークと、を比較可能にし、前記印刷物に対応する前記後処理設定データを選択させる比較部と、
前記印刷物に印刷されたレジストレーションマークを用いて前記印刷物の位置合わせを行い、選択された前記後処理設定データに基づいて後処理を実行する後処理部と、を備える、
ことを特徴とする印刷システム。
【請求項２】
前記面付け部は、前記ジョブ毎に、前記レジストレーションマークの位置、サイズ、形状、色の中から選択される少なくとも１つを変更する、
ことを特徴とする請求項１に記載の印刷システム。
【請求項３】
前記面付け部は、前記レジストレーションマークに加えて、１又は複数の追加マークを付加する、
ことを特徴とする請求項１又は２に記載の印刷システム。
【請求項４】
前記比較部は、前記後処理設定データで特定されるレジストレーションマークを表示部に表示させ、前記印刷物に印刷されたレジストレーションマークと比較可能にする、
ことを特徴とする請求項１乃至３のいずれか一に記載の印刷システム。
【請求項５】
前記後処理装置は、
前記印刷物に印刷されたレジストレーションマークを読み取る画像読取部を備え、
前記比較部は、前記後処理設定データで特定されるレジストレーションマークと、前記印刷物から読み取ったレジストレーションマークと、を比較可能に表示部に表示させる、
ことを特徴とする請求項１乃至３のいずれか一に記載の印刷システム。
【請求項６】
前記後処理装置は、
前記印刷物に印刷されたレジストレーションマークを読み取る画像読取部を備え、
前記比較部は、前記後処理設定データで特定されるレジストレーションマークと、前記印刷物から読み取ったレジストレーションマークと、を比較し、双方のレジストレーションマークが一致するかを判断する、
ことを特徴とする請求項１乃至３のいずれか一に記載の印刷システム。
【請求項７】
前記比較部は、前記後処理設定データで特定されるレジストレーションマークと、前記印刷物に印刷されたレジストレーションマーク又は前記印刷物から読み取ったレジストレーションマークと、が一致しない場合は、その旨を警告する、
ことを特徴とする請求項４乃至６のいずれか一に記載の印刷システム。
【請求項８】
印刷及び後処理を指示する管理装置と、印刷を実行して印刷物を作成する画像形成装置と、前記印刷物に対して後処理を実行する後処理装置と、が通信可能に接続された印刷システムにおける後処理制御方法であって、
前記管理装置は、
ジョブで指定された原稿のページ画像を面付けし、余白領域に後処理で使用するレジストレーションマークをジョブ毎に異なる形態で付加した面付けデータを作成する面付けステップと、
前記面付けデータに基づいて印刷を指示する印刷データ及び印刷設定データを作成して前記画像形成装置に送信すると共に、前記面付けデータに基づいて前記印刷物に対する後処理を指示する後処理設定データを作成して前記後処理装置に送信するジョブ管理ステップと、を実行し、
前記画像形成装置は、
前記印刷データ及び前記印刷設定データに基づいて、前記原稿のページ画像と前記レジストレーションマークとを用紙に印刷して前記印刷物を作成する印刷ステップを実行し、
前記後処理装置は、
前記後処理設定データを解析して前記レジストレーションマークを特定する解析ステップと、
前記印刷物に印刷されたレジストレーションマークと、前記後処理設定データで特定されるレジストレーションマークと、を比較可能にし、前記印刷物に対応する前記後処理設定データを選択させる比較ステップと、
前記印刷物に印刷されたレジストレーションマークを用いて前記印刷物の位置合わせを行い、選択された前記後処理設定データに基づいて後処理を実行する後処理ステップと、を実行する、
ことを特徴とする後処理制御方法。
【請求項９】
前記面付けステップでは、前記ジョブ毎に、前記レジストレーションマークの位置、サイズ、形状、色の中から選択される少なくとも１つを変更する、
ことを特徴とする請求項８に記載の後処理制御方法。
【請求項１０】
前記面付けステップでは、前記レジストレーションマークに加えて、１又は複数の追加マークを付加する、
ことを特徴とする請求項８又は９に記載の後処理制御方法。
【請求項１１】
前記比較ステップでは、前記後処理設定データで特定されるレジストレーションマークを表示部に表示させ、前記印刷物に印刷されたレジストレーションマークと比較可能にする、
ことを特徴とする請求項８乃至１０のいずれか一に記載の後処理制御方法。
【請求項１２】
前記後処理装置は、更に、
前記印刷物に印刷されたレジストレーションマークを読み取る画像読取ステップを実行し、
前記比較ステップでは、前記後処理設定データで特定されるレジストレーションマークと、前記印刷物から読み取ったレジストレーションマークと、を比較可能に表示部に表示させる、
ことを特徴とする請求項８乃至１０のいずれか一に記載の後処理制御方法。
【請求項１３】
前記後処理装置は、更に、
前記印刷物に印刷されたレジストレーションマークを読み取る画像読取ステップを実行し、
前記比較ステップでは、前記後処理設定データで特定されるレジストレーションマークと、前記印刷物から読み取ったレジストレーションマークと、を比較し、双方のレジストレーションマークが一致するかを判断する、
ことを特徴とする請求項８乃至１０のいずれか一に記載の後処理制御方法。
【請求項１４】
前記比較ステップでは、前記後処理設定データで特定されるレジストレーションマークと、前記印刷物に印刷されたレジストレーションマーク又は前記印刷物から読み取ったレジストレーションマークと、が一致しない場合は、その旨を警告する、
ことを特徴とする請求項１１乃至１３のいずれか一に記載の後処理制御方法。
【請求項１５】
印刷を実行して印刷物を作成する画像形成装置に接続され、前記印刷物に対して後処理を実行する後処理装置で動作する後処理制御プログラムであって、
ジョブで指定された原稿のページ画像を面付けし、余白領域に後処理で使用するレジストレーションマークをジョブ毎に異なる形態で付加した面付けデータが予め作成され、前記面付けデータに基づいて印刷を指示する印刷データ及び印刷設定データが予め作成されて前記画像形成装置に送信され、前記面付けデータに基づいて前記印刷物に対する後処理を指示する後処理設定データが予め作成されて前記後処理装置に送信されており、
前記後処理装置に、
前記後処理設定データを解析して前記レジストレーションマークを特定する解析ステップ、
前記印刷物に印刷されたレジストレーションマークと、前記後処理設定データで特定されるレジストレーションマークと、を比較可能にし、前記印刷物に対応する前記後処理設定データを選択させる比較ステップ、を実行させる、
ことを特徴とする後処理制御プログラム。
【請求項１６】
前記レジストレーションマークは、前記ジョブ毎に、位置、サイズ、形状、色の中から選択される少なくとも１つが異なる、
ことを特徴とする請求項１５に記載の後処理制御プログラム。
【請求項１７】
前記余白領域に、前記レジストレーションマークに加えて、１又は複数の追加マークが付加される、
ことを特徴とする請求項１５又は１６に記載の後処理制御プログラム。
【請求項１８】
前記比較ステップでは、前記後処理設定データで特定されるレジストレーションマークを表示部に表示させ、前記印刷物に印刷されたレジストレーションマークと比較可能にする、
ことを特徴とする請求項１５乃至１７のいずれか一に記載の後処理制御プログラム。
【請求項１９】
前記後処理装置に、更に、
前記印刷物に印刷されたレジストレーションマークを読み取る画像読取ステップを実行させ、
前記比較ステップでは、前記後処理設定データで特定されるレジストレーションマークと、前記印刷物から読み取ったレジストレーションマークと、を比較可能に表示部に表示させる、
ことを特徴とする請求項１５乃至１７のいずれか一に記載の後処理制御プログラム。
【請求項２０】
前記後処理装置に、更に、
前記印刷物に印刷されたレジストレーションマークを読み取る画像読取ステップを実行させ、
前記比較ステップでは、前記後処理設定データで特定されるレジストレーションマークと、前記印刷物から読み取ったレジストレーションマークと、を比較し、双方のレジストレーションマークが一致するかを判断する、
ことを特徴とする請求項１５乃至１７のいずれか一に記載の後処理制御プログラム。
【請求項２１】
前記比較ステップでは、前記後処理設定データで特定されるレジストレーションマークと、前記印刷物に印刷されたレジストレーションマーク又は前記印刷物から読み取ったレジストレーションマークと、が一致しない場合は、その旨を警告する、
ことを特徴とする請求項１８乃至２０のいずれか一に記載の後処理制御プログラム。
【発明の詳細な説明】
【技術分野】
【０００１】
本発明は、印刷システム、後処理制御方法及び後処理制御プログラムに関し、特に、画像形成装置と後処理装置とを含む印刷システム、当該印刷システムにおける後処理を制御する後処理制御方法及び後処理装置で動作する後処理制御プログラムに関する。
【背景技術】
【０００２】
画像形成装置で印刷した印刷物に対して、後処理装置で断裁などの後処理を行う場合、管理装置で原稿を作成し、原稿の印刷データ（例えば、ＰＤＦ（Portable Document Format）データ）と印刷用の設定情報が記述された印刷設定データ（例えば、印刷用ＪＤＦ（Job Definition Format）データ）と後処理用の設定情報が記述された後処理設定データ（例えば、後処理用ＪＤＦデータ）とが生成され、ＰＤＦデータと印刷用ＪＤＦデータとが画像形成装置に出力され、後処理用ＪＤＦデータが後処理装置に出力される。
【０００３】
画像形成装置では、ＰＤＦデータと印刷用ＪＤＦデータとを受信すると、印刷用ＪＤＦデータの設定に従って、ＰＤＦデータに含まれる原稿を印刷すると共に、原稿の周囲の余白領域に後処理の際の位置合わせに使用するトンボなどのマーク（以下、レジストレーションマークと呼ぶ。）を印刷して印刷物を出力する。そして、ユーザが手動で印刷物を後処理装置にセットし、ジョブ名称などを参照して後処理用ＪＤＦデータを選択すると、後処理装置は、後処理用ＪＤＦデータの設定に従って、レジストレーションマークを目印とし印刷物に対して断裁等の後処理を行う。
【０００４】
このようなレジストレーションマークの印刷に関する技術として、例えば、下記特許文献１には、連続紙に印字される印刷処理の制御に応じた情報を表す複数のマークの位置をマーク毎に指定するマーク位置指定手段と、前記連続紙の搬送方向上流側に配置され、前記マーク位置指定手段によって指定された各マークの位置に応じて前記複数のマークを前記連続紙に印字するマーク印字手段を備えた第１の印刷装置と、前記連続紙の搬送方向下流側に配置され、前記連続紙に印字された前記印刷処理の制御に応じた情報を表す複数のマークを読取って、前記印刷処理に応じた印刷処理を行う第２の印刷装置と、を含む連続紙印刷システムが開示されている。
【０００５】
また、下記特許文献２には、書籍の本文を印刷して折丁束として排出する印刷部と、前記印刷部から排出された前記折丁束を綴じて製本する製本部とを有する書籍の製造装置であって、前記印刷部は、ウェブの印刷面に連続して異なる画像を印刷可能であって、前記印刷面に前記書籍の本文の画像と共に該書籍を特定する主マークを印刷するウェブ式デジタル印刷機と、前記ウェブ式デジタル印刷機により印刷された前記ウェブを重ね折りして横断裁することで折丁を形成する折機と、前記折機により形成された前記折丁を積み重ねて折丁束を形成し該折丁束を搬送して排出する印刷部搬送装置と、を有し、前記製本部は、複数の製本加工部を有し、前記製本加工部には、前記印刷部搬送装置から排出された前記折丁束を受け取って搬送する製本部搬送装置と、前記製本部搬送装置により搬送される前記折丁束を用いて形成された一冊分の用紙束の背面を結合して綴じて冊子を完成させる綴じ機と、前記製本部搬送装置により搬送される前記冊子の背面以外を三方断裁する三方断裁機と、紙部品を用いて前記折丁束，前記一冊分の用紙束及び前記冊子の何れかに製本のための加工を行なう紙部品追加製本加工部と、が含まれると共に、前記製本部搬送装置により搬送される前記折丁束から前記主マークを読み取る主読取装置と、前記紙部品追加製本加工部で用いられ、前記主マークで特定される製造対象書籍を含む製本予定の複数の書籍のそれぞれの前記紙部品を個別にセット可能な複数のフィーダ容器を備え、前記複数のフィーダ容器の中から特定のフィーダ容器を選択してセットされた前記紙部品を前記紙部品追加製本加工部に供給する紙部品フィーダを有するフィーダユニットと、前記主読取装置により読み取られた前記主マークの情報から前記製造対象書籍を特定し、前記製造対象書籍に対応した前記紙部品がセットされたフィーダ容器を選択するように前記フィーダユニットを制御する制御装置と、を有する構成が開示されている。
【先行技術文献】
【特許文献】
【０００６】
【特許文献１】特開２００８−１４９６５７号公報
【特許文献２】特開２０１６−０８７９３８号公報
【発明の概要】
【発明が解決しようとする課題】
【０００７】
上述した方法では、後処理の際に、ユーザが手動で印刷物を後処理装置にセットし、その後、ユーザが手動でジョブ名称などを参照して後処理用ＪＤＦデータを選択するため、印刷物と後処理用ＪＤＦデータとの組み合わせを間違ってしまう場合がある。特に、印刷を指示する際の画面と後処理を指示する際の画面とでジョブのＩＤの表示形態が異なる場合は、ジョブ名称を参照してジョブを選択することになるが、ジョブ名称が長く、ジョブリストに多数のジョブが表示されている場合には、間違った後処理ＪＤＦデータを選択する可能性が高くなる。
【０００８】
そして、間違った後処理用ＪＤＦデータを選択した場合、後処理装置はその後処理用ＪＤＦデータに従って後処理を実施してしまうため、正しい出力結果が得られなくなってしまう。
【０００９】
本発明は、上記問題点に鑑みてなされたものであって、その主たる目的は、レジストレーションマークが付加された印刷物とマッチングしない後処理用ＪＤＦデータに基づいて、印刷物に対して後処理が実行されるといった不具合を未然に防止することができる印刷システム、後処理制御方法及び後処理制御プログラムを提供することにある。
【課題を解決するための手段】
【００１０】
本発明の一側面は、印刷及び後処理を指示する管理装置と、印刷を実行して印刷物を作成する画像形成装置と、前記印刷物に対して後処理を実行する後処理装置と、が通信可能に接続された印刷システムであって、前記管理装置は、ジョブで指定された原稿のページ画像を面付けし、余白領域に後処理で使用するレジストレーションマークをジョブ毎に異なる形態で付加した面付けデータを作成する面付け部と、前記面付けデータに基づいて印刷を指示する印刷データ及び印刷設定データを作成して前記画像形成装置に送信すると共に、前記面付けデータに基づいて前記印刷物に対する後処理を指示する後処理設定データを作成して前記後処理装置に送信するジョブ管理部と、を備え、前記画像形成装置は、前記印刷データ及び前記印刷設定データに基づいて、前記原稿のページ画像と前記レジストレーションマークとを用紙に印刷して前記印刷物を作成する印刷処理部を備え、前記後処理装置は、前記後処理設定データを解析して前記レジストレーションマークを特定する解析部と、前記印刷物に印刷されたレジストレーションマークと、前記後処理設定データで特定されるレジストレーションマークと、を比較可能にし、前記印刷物に対応する前記後処理設定データを選択させる比較部と、前記印刷物に印刷されたレジストレーションマークを用いて前記印刷物の位置合わせを行い、選択された前記後処理設定データに基づいて後処理を実行する後処理部と、を備えることを特徴とする。
【００１１】
本発明の一側面は、印刷及び後処理を指示する管理装置と、印刷を実行して印刷物を作成する画像形成装置と、前記印刷物に対して後処理を実行する後処理装置と、が通信可能に接続された印刷システムにおける後処理制御方法であって、前記管理装置は、ジョブで指定された原稿のページ画像を面付けし、余白領域に後処理で使用するレジストレーションマークをジョブ毎に異なる形態で付加した面付けデータを作成する面付けステップと、前記面付けデータに基づいて印刷を指示する印刷データ及び印刷設定データを作成して前記画像形成装置に送信すると共に、前記面付けデータに基づいて前記印刷物に対する後処理を指示する後処理設定データを作成して前記後処理装置に送信するジョブ管理ステップと、を実行し、前記画像形成装置は、前記印刷データ及び前記印刷設定データに基づいて、前記原稿のページ画像と前記レジストレーションマークとを用紙に印刷して前記印刷物を作成する印刷ステップを実行し、前記後処理装置は、前記後処理設定データを解析して前記レジストレーションマークを特定する解析ステップと、前記印刷物に印刷されたレジストレーションマークと、前記後処理設定データで特定されるレジストレーションマークと、を比較可能にし、前記印刷物に対応する前記後処理設定データを選択させる比較ステップと、前記印刷物に印刷されたレジストレーションマークを用いて前記印刷物の位置合わせを行い、選択された前記後処理設定データに基づいて後処理を実行する後処理ステップと、を実行することを特徴とする。
【００１２】
本発明の一側面は、印刷を実行して印刷物を作成する画像形成装置に接続され、前記印刷物に対して後処理を実行する後処理装置で動作する後処理制御プログラムであって、ジョブで指定された原稿のページ画像を面付けし、余白領域に後処理で使用するレジストレーションマークをジョブ毎に異なる形態で付加した面付けデータが予め作成され、前記面付けデータに基づいて印刷を指示する印刷データ及び印刷設定データが予め作成されて前記画像形成装置に送信されると共に、前記面付けデータに基づいて前記印刷物に対する後処理を指示する後処理設定データが予め作成されて前記後処理装置に送信されており、前記後処理装置に、前記後処理設定データを解析して前記レジストレーションマークを特定する解析ステップ、前記印刷物に印刷されたレジストレーションマークと、前記後処理設定データで特定されるレジストレーションマークと、を比較可能にし、前記印刷物に対応する前記後処理設定データを選択させる比較ステップ、を実行させることを特徴とする。
【発明の効果】
【００１３】
本発明の印刷システム、後処理制御方法及び後処理制御プログラムによれば、レジストレーションマークが付加された印刷物とマッチングしない後処理用ＪＤＦデータに基づいて、印刷物に対して後処理が実行されるといった不具合を未然に防止することができる。
【００１４】
その理由は、管理装置と画像形成装置と後処理装置とが通信可能に接続された印刷システムにおいて、管理装置は、ジョブで指定された原稿のページ画像を面付けすると共に、余白領域に後処理で使用するレジストレーションマークをジョブ毎に異なる形態で付加した面付けデータを作成し、面付けデータに基づいて印刷を指示する印刷データ及び印刷設定データを作成して画像形成装置に送信すると共に、面付けデータに基づいて印刷物に対する後処理を指示する後処理設定データを作成して後処理装置に送信し、画像形成装置は、印刷データ及び印刷設定データに基づいて、原稿のページ画像とレジストレーションマークとを用紙に印刷して印刷物を作成し、後処理装置は、後処理設定データを解析してレジストレーションマークを特定し、印刷物に印刷されたレジストレーションマークと、後処理設定データで特定されるレジストレーションマークと、を比較可能にし、印刷物に対応する後処理設定データを選択させ、印刷物に印刷されたレジストレーションマークを用いて印刷物の位置合わせを行い、選択された後処理設定データに基づいて後処理を実行するからである。
【図面の簡単な説明】
【００１５】
【図１】本発明の第１の実施例に係る印刷システムの構成を示す模式図である。
【図２】本発明の第１の実施例に係る管理装置の構成を示すブロック図である。
【図３】本発明の第１の実施例に係る画像形成装置の構成を示すブロック図である。
【図４】本発明の第１の実施例に係る後処理装置の構成を示すブロック図である。
【図５】本発明の第１の実施例に係る印刷システムの動作を示すフローチャート図である。
【図６】本発明の第１の実施例に係るレジストレーションマークを説明する模式図である。
【図７】本発明の第１の実施例に係るレジストレーションマークを説明する模式図である。
【図８】レジストレーションマークの印字エリアを説明する模式図である。
【図９】本発明の第１の実施例に係るジョブ毎のレジストレーションマークの印字位置を説明する模式図である。
【図１０】本発明の第１の実施例に係るレジストレーションマークに追加マークを付加する場合を説明する模式図である。
【図１１】本発明の第１の実施例に係るレジストレーションマークのバリエーションを説明する模式図である。
【図１２】本発明の第１の実施例に係るジョブ選択画面の一例である。
【図１３】本発明の第１の実施例に係るジョブ選択画面及びマーク確認画面の一例である。
【図１４】本発明の第２の実施例に係る後処理装置の構成を示すブロック図である。
【図１５】本発明の第２の実施例に係る印刷システムの動作を示すフローチャート図である。
【図１６】本発明の第２の実施例に係るジョブ選択画面の一例である。
【図１７】本発明の第２の実施例に係るジョブ選択画面及びマーク確認画面の一例である。
【図１８】従来の問題を説明する模式図である。
【発明を実施するための形態】
【００１６】
背景技術で示したように、画像形成装置で印刷した印刷物に対して、後処理装置で断裁などの後処理を行う場合、管理装置で原稿を作成し、原稿の印刷データ（ＰＤＦデータ）と印刷設定データ（印刷用ＪＤＦデータ）と後処理設定データ（後処理用ＪＤＦデータ）とが生成され、ＰＤＦデータと印刷用ＪＤＦデータとが画像形成装置に出力され、後処理用ＪＤＦデータが後処理装置に出力される。
【００１７】
画像形成装置では、印刷用ＪＤＦデータの設定に従って、ＰＤＦデータに含まれる原稿を印刷すると共に、原稿の周囲の余白領域にレジストレーションマークを印刷して印刷物を出力する。そして、ユーザが手動で印刷物を後処理装置にセットし、ジョブ名称などを参照して後処理用ＪＤＦデータを選択すると、後処理装置は、後処理用ＪＤＦデータの設定に従って、レジストレーションマークを目印とし印刷物に対して断裁等の後処理を行う。
【００１８】
図１８は、このワークフローを説明する模式図である。面付けアプリケーションを用いて原稿の面付けを行い、ＰＤＦデータと印刷用ＪＤＦデータ及び後処理用ＪＤＦデータとが印刷ジョブ管理アプリケーションに登録される。そして、印刷ジョブ管理アプリケーションでジョブを選択すると、ＰＤＦデータと印刷用ＪＤＦデータとがプリンタに送信され、後処理用ＪＤＦデータが後処理装置に送信される。ここでは、ＩＤが”ＡＥＦＯＴ”のジョブがプリンタ２に送信され、プリンタ２でジョブＡの印刷物が出力されるとする。
【００１９】
次に、ユーザはプリンタ２からジョブＡの印刷物を取り出し、その印刷物を手動で後処理装置にセットする。また、ユーザは後処理装置の表示部に表示されるジョブの一覧画面から、ジョブ名称などを参照して後処理用ＪＤＦデータを選択すると、後処理装置では、選択された後処理用ＪＤＦデータに従って、セットされた印刷物に対して後処理を行う。
【００２０】
ここで、ジョブ管理アプリケーションの画面と後処理装置の画面とでジョブの表示形式が同じであるとは限らず、例えば、ジョブ管理アプリケーションの画面ではユーザが設定した文字列がＩＤ欄に表示されるのに対して、後処理装置の画面では通し番号がＩＤ欄に表示される場合などがあり、このような場合は、ジョブ名称でジョブを区別することになる。その際、ジョブ名称が全く異なる文字で構成されている場合は、ジョブ名称で適切なジョブを選択することは容易であるが、ジョブ名称が長く、かつ、共通する文字列を含む場合はジョブの識別が困難になる。
【００２１】
その結果、例えば、印刷物に対応するジョブＡは、ジョブ名称が”コニカミノルタ株式会社C1000_Spec.pdf”であるのに対して、後処理装置のコントローラに表示されるジョブ一覧の中から、ユーザが”コニカミノルタ株式会社JMF仕様書.pdf”を選択してしまうといった間違いが生じる可能性が高くなる。そして、印刷物と後処理用ＪＤＦデータとでミスマッチが生じると、印刷物を正しく断裁することができなくなってしまう。
【００２２】
そこで、本発明の一実施の形態では、印刷と後処理とを別々に行うシステムにおいて、後処理の段階で、ユーザがマッチングしない後処理用ＪＤＦデータを選択しないような仕組みを提供する。
【００２３】
具体的には、管理装置と画像形成装置と後処理装置とが通信可能に接続された印刷システムにおいて、管理装置は、ジョブで指定された原稿のページ画像を面付けすると共に、余白領域に後処理で使用するレジストレーションマークをジョブ毎に異なる形態で付加した面付けデータを作成し、面付けデータに基づいて印刷を指示する印刷データ及び印刷設定データを作成して画像形成装置に送信すると共に、面付けデータに基づいて印刷物に対する後処理を指示する後処理設定データを作成して後処理装置に送信し、画像形成装置は、印刷データ及び印刷設定データに基づいて、原稿のページ画像とレジストレーションマークとを用紙に印刷して印刷物を作成し、後処理装置は、後処理設定データを解析してレジストレーションマークを特定し、印刷物に印刷されたレジストレーションマークと、後処理設定データで特定されるレジストレーションマークと、を比較可能にし、印刷物に対応する後処理設定データを選択させ、印刷物に印刷されたレジストレーションマークを用いて印刷物の位置合わせを行い、選択された後処理設定データに基づいて後処理を実行する。
【００２４】
このように、後加工を行う際に、実際に印刷されたレジストレーションマークの情報と後処理用ＪＤＦデータに記述されているレジストレーションマークとの情報とを比較できるようにすることにより、印刷物とマッチングしない後処理用ＪＤＦデータに基づいて、印刷物に対して後処理が実行されるといった不具合を未然に防止することができる。
【実施例１】
【００２５】
上記した本発明の一実施の形態についてさらに詳細に説明すべく、本発明の第１の実施例に係る印刷システム、後処理制御方法及び後処理制御プログラムについて、図１乃至図１３を参照して説明する。図１は、本実施例の印刷システムの構成を示す模式図であり、図２乃至図４は、各々、管理装置、画像形成装置、後処理装置の構成を示すブロック図である。また、図５は、本実施例の印刷システムの動作を示すフローチャート図であり、図６乃至図１１は、本実施例のレジストレーションマークを説明する模式図、図１２及び図１３は、本実施例の表示画面の一例である。
【００２６】
図１に示すように、本実施例の印刷システム１０は、管理装置２０と、画像形成装置３０と、後処理装置４０などで構成される。これらはイーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク５０を介して接続されている。そして、管理装置２０は、画像形成装置３０に印刷データ及び印刷設定データを送信すると共に、後処理装置４０に後処理設定データを送信し、画像形成装置３０は、管理装置２０から印刷データ及び印刷設定データを受信して印刷物を出力し、後処理装置４０は、管理装置２０から後処理設定データを受信すると共に画像形成装置３０から印刷物を受け取り、印刷物に対して後処理を実行する。以下、各装置について説明する。
【００２７】
［管理装置］
管理装置２０は、パーソナルコンピュータなどのコンピュータ装置であり、図２（ａ）に示すように、制御部２１、記憶部２５、ネットワークＩ／Ｆ部２６、表示部２７、操作部２８などで構成される。
【００２８】
制御部２１は、ＣＰＵ（Central Processing Unit）２２と、ＲＯＭ（Read Only Memory）２３やＲＡＭ（Random Access Memory）２４などのメモリとで構成され、ＣＰＵ２２は、ＲＯＭ２３や記憶部２５に記憶した制御プログラムをＲＡＭ２４に展開して実行することにより、管理装置２０全体の動作を制御する。また、図２（ｂ）に示すように、上記制御部２１（ＣＰＵ２２）により、面付けアプリケーション２１ａ、ジョブ管理アプリケーション２１ｂなどが実行され、制御部２１を、面付け部、ジョブ管理部として機能させる。
【００２９】
面付けアプリケーション２１ａは、ジョブで指定された原稿のページ画像を面付けすると共に、余白領域にレジストレーションマークを付加して面付けデータを作成する。その際、本実施例では、ジョブ毎に、レジストレーションマークの位置、サイズ、形状、色の中から選択される少なくとも１つが異なるようにする。また、必要に応じて、レジストレーションマークに加えて、１又は複数の追加マークを付加する。
【００３０】
ジョブ管理アプリケーション２１ｂは、面付けデータを、画像形成装置３０が解釈可能な言語の印刷データ（以下、ＰＤＦデータとする。）に変換すると共に、印刷設定情報を記述した印刷設定データ（以下、印刷用ＪＤＦデータとする。）及び後処理設定情報を記述した後処理設定データ（以下、後処理用ＪＤＦデータとする。）を作成し、ＰＤＦデータ及び印刷用ＪＤＦデータを画像形成装置３０に送信し、後処理用ＪＤＦデータを後処理装置４０に送信する。上記印刷用ＪＤＦデータや後処理用ＪＤＦデータには、レジストレーションマークの位置、サイズ、形状、色の中から選択される少なくとも１つが記述される。
【００３１】
記憶部２５は、ＨＤＤ（Hard Disk Drive）やＳＳＤ（Solid State Drive）などで構成され、ＣＰＵ２２が各部を制御するためのプログラム、面付けアプリケーション２１ａが作成した面付けデータ、ジョブ管理アプリケーション２１ｂが作成したＰＤＦデータ、印刷用ＪＤＦデータ及び後処理用ＪＤＦデータなどを保存する。
【００３２】
ネットワークＩ／Ｆ部２６は、ＮＩＣ（Network Interface Card）やモデムなどで構成され、管理装置２０を通信ネットワーク５０に接続し、画像形成装置３０及び後処理装置４０とのデータ通信を可能にする。
【００３３】
表示部２７は、液晶表示装置（ＬＣＤ：Liquid Crystal Display）や有機ＥＬ（electroluminescence）表示装置などで構成され、面付けアプリケーション２１ａの面付け画面、ジョブ管理アプリケーション２１ｂのジョブ管理画面などを表示する。
【００３４】
操作部２８は、マウスやキーボードなどで構成され、面付け画面による面付け設定、ジョブ管理画面によるジョブ選択などの操作を可能にする。
【００３５】
［画像形成装置］
画像形成装置３０は、ＭＦＰ（Multi-Functional Peripherals）などであり、管理装置２０から受信したＰＤＦデータ及び印刷用ＪＤＦデータに基づいて印刷を行う。この画像形成装置３０は、図３に示すように、制御部３１、記憶部３５、ネットワークＩ／Ｆ部３６、表示操作部３７、画像処理部３８、印刷処理部３９などで構成される。
【００３６】
制御部３１は、ＣＰＵ３２とＲＯＭ３３やＲＡＭ３４などのメモリとで構成され、ＣＰＵ３２は、ＲＯＭ３３や記憶部３５に記憶した制御プログラムをＲＡＭ３４に展開して実行することにより、画像形成装置３０全体の動作を制御する。
【００３７】
記憶部３５は、ＨＤＤやＳＳＤなどで構成され、ＣＰＵ３２が各部を制御するためのプログラム、自装置の処理機能に関する情報、管理装置２０から受信したＰＤＦデータ及び印刷用ＪＤＦデータなどを記憶する。
【００３８】
ネットワークＩ／Ｆ部３６は、ＮＩＣやモデムなどで構成され、画像形成装置３０を通信ネットワーク５０に接続し、管理装置２０とのデータ通信を可能にする。
【００３９】
表示操作部３７は、表示部上に透明電極が格子状に配置された感圧式の操作部（タッチセンサ）を設けたタッチパネルなどであり、印刷処理に関する各種画面を表示し、印刷に関する各種操作を可能にする。
【００４０】
画像処理部３８は、ＲＩＰ（Raster Image Processor）を備え、ＰＤＦデータ及び印刷用ＪＤＦデータを解析し、ＰＤＦデータをラスタライズして印刷画像を生成し、必要に応じて、印刷画像に対して画像処理（色調整、濃度調整、サイズ調整などの処理）やスクリーニングを行う。
【００４１】
印刷処理部３９は、給紙部から供給される用紙に印刷画像を形成する。この印刷処理部３９は、例えば、画像データに基づいてレーザ光を照射して露光する露光部と、感光体ドラムと現像部と帯電部と感光体クリーニング部と１次転写ローラとを備え、ＣＭＹＫの各色のトナー像を形成する画像形成部と、ローラによって回転され、画像形成部で形成されたトナー像をロール紙に搬送する中間転写体として機能する中間ベルトと、中間ベルト上に形成されたトナー像を用紙に転写する２次転写ローラと、ロール紙に転写されたトナー像を定着させる定着部などで構成される。
【００４２】
［後処理装置］
後処理装置４０は、断裁、パンチ、ステープルなどの後処理を行う装置であり、図４（ａ）に示すように、制御部４１、記憶部４５、ネットワークＩ／Ｆ部４６、表示操作部４７、後処理部４８などで構成される。
【００４３】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、後処理装置４０全体の動作を制御する。また、図４（ｂ）に示すように、制御部４１は、ＪＤＦ解析部４１ａ、マーク比較部４１ｂなどとして機能する。
【００４４】
ＪＤＦ解析部４１ａは、ジョブの一覧の中から選択されたジョブに対応する後処理用ＪＤＦデータを解析し、印刷物に印刷されるレジストレーションマークを特定する。
【００４５】
マーク比較部４１ｂは、表示操作部４７に表示される画面（ジョブ選択画面又はジョブ選択画面から遷移するマーク確認画面など）に、ＪＤＦ解析部４１ａが特定したレジストレーションマークの情報を表示して、印刷物に印刷されるレジストレーションマークと比較できるようにする。また、マーク比較部４１ｂは、双方のレジストレーションマークが一致しない場合は、セットされた印刷物に対して後処理を実行せずに、表示操作部４７にその旨を通知する警告画面を表示したり、警告音を鳴らしたり、警告ランプを点灯／点滅させたりして、ユーザに警告する。
【００４６】
上記ＪＤＦ解析部４１ａ、マーク比較部４１ｂは、ハードウェアとして構成してもよいし、制御部４１をＪＤＦ解析部４１ａ、マーク比較部４１ｂとして機能させる後処理制御プログラムとして構成し、当該後処理制御プログラムをＣＰＵ４２に実行させるようにしてもよい。
【００４７】
記憶部４５は、ＨＤＤやＳＳＤなどで構成され、ＣＰＵ４２が各部を制御するためのプログラム、自装置の処理機能に関する情報、管理装置２０から受信した後処理用ＪＤＦデータなどを記憶する。
【００４８】
ネットワークＩ／Ｆ部４６は、ＮＩＣやモデムなどで構成され、後処理装置４０を通信ネットワーク５０に接続し、管理装置２０とのデータ通信を可能にする。
【００４９】
表示操作部４７は、表示部上に透明電極が格子状に配置された感圧式の操作部（タッチセンサ）を設けたタッチパネルなどであり、後処理に関する各種画面（後処理選択画面、ジョブ選択画面、マーク確認画面など）を表示し、後処理に関する各種操作を可能にする。
【００５０】
後処理部４８は、印刷物に付加されているレジストレーションマークを検知するセンサを備え、検知したレジストレーションマークに基づいて印刷物の位置調整を行い、後処理用ＪＤＦデータに基づいて印刷物の断裁等の後処理を実施する。
【００５１】
なお、図１乃至図４は、本実施例の印刷システム１０の一例であり、本実施例の後処理制御が実現可能な限りにおいて、各装置の構成や制御は適宜変更可能である。例えば、後処理装置４０とは別にコントローラ（制御装置）が設けられる場合は、コントローラの制御部をＪＤＦ解析部４１ａ、マーク比較部４１ｂとして機能させる（当該制御部のＣＰＵに後処理制御プログラムを実行させる）構成としてもよい。
【００５２】
以下、本実施例の印刷システム１０の動作について説明する。特に、後処理装置４０のＣＰＵ４２は、ＲＯＭ４３又は記憶部４５に記憶した後処理制御プログラムをＲＡＭ４４に展開して実行することにより、図５のフローチャート図に示すＳ１０８〜Ｓ１１２の各ステップの処理を実行する。
【００５３】
まず、管理装置２０の制御部２１（面付けアプリケーション２１ａ）は、ジョブの原稿のページ画像を面付けする（Ｓ１０１）。次に、制御部２１（面付けアプリケーション２１ａ）は、面付けした原稿が同一のジョブであるか（同一のジョブの原稿のページ画像を面付けしたページであるか）を判断し（Ｓ１０２）、同一のジョブであれば（Ｓ１０２のＹｅｓ）、用紙の余白領域に、位置及びサイズを変えずにレジストレーションマークを付加し（Ｓ１０３）、同一のジョブでない場合は（Ｓ１０２のＮｏ）、用紙の余白領域に、位置及び／又はサイズを変えてレジストレーションマークを付加する（Ｓ１０４）。
【００５４】
そして、制御部２１（ジョブ管理アプリケーション２１ｂ）は、面付けデータを、画像形成装置３０が解釈可能な言語の印刷データ（ＰＤＦと略記）に変換すると共に、印刷設定情報を記述した印刷用ＪＤＦデータ（印刷用ＪＤＦと略記）及び後処理設定情報を記述した後処理用ＪＤＦデータ（後処理用ＪＤＦと略記）を作成し（Ｓ１０５）、ＰＤＦデータと印刷用ＪＤＦデータを画像形成装置３０に送信し、後処理用ＪＤＦデータを後処理装置４０に送信する（Ｓ１０６）。
【００５５】
図６及び図７は、レジストレーションマークを説明する模式図であり、図の左右がＸ方向、上下がＹ方向であり、用紙の左下隅を座標の原点としている。図６は、ジョブ１の原稿のページ画像６０とレジストレーションマーク６１とが配置される場合を示しており、用紙の左下隅から右方向に１５ｍｍ、上方向に５ｍｍの位置に、Ｘサイズが２８ｍｍ、Ｙサイズが２８ｍｍのＬ字型のレジストレーションマーク６１の中央部（Ｌ字の角部）が配置されている。この場合、ジョブ１の後処理用ＪＤＦデータ（図ではＪＤＦ１）には、「TrimSize＝”28.00,28.00”」、「RegisterMark Center＝”15.00,5.00”」と記述される。
【００５６】
図７は、図６とは異なるジョブ（ジョブ２）の原稿のページ画像６０とレジストレーションマーク６１とが配置される場合（すなわち、Ｓ１０４の場合）を示しており、図７は、図６とはジョブが異なるためにレジストレーションマーク６１の位置及びサイズを変えている。ここでは、用紙の左下隅から右方向に１５ｍｍ、上方向の１０ｍｍの位置に、Ｘサイズが２０ｍｍ、Ｙサイズが２８ｍｍのＬ字型のレジストレーションマーク６１の中央部（Ｌ字の角部）が配置されている。この場合、ジョブ２の後処理用ＪＤＦデータ（図ではＪＤＦ２）には、「TrimSize＝”20.00,28.00”」、「RegisterMark Center＝”15.00,10.00”」と記述される。
【００５７】
ここで、ジョブ毎にレジストレーションマーク６１の位置及び／又はサイズを変えることが理想であるが、レジストレーションマーク６１の印字エリアは限定されており、例えば、図８に示すように、原稿のページ画像６０が大きくなると（右側参照）、レジストレーションマーク６１の印字エリアが狭くなる可能性もある。そして、印字エリアが狭くなるとレジストレーションマーク６１の印字位置は限定されるため、図９に示すように、ジョブ数が増えれば増えるほど、レジストレーションマーク６１が同じ位置に印字されるジョブ（ジョブ１とジョブ５００）が生じる可能性が高くなり、後述する印刷物と後処理ＪＤＦデータとの対応付けが困難になる。
【００５８】
このような場合には、図１０に示すように、一方のジョブ（ここではジョブ５００）には、レジストレーションマーク６１に加えて、追加マーク６２を印字し、この追加マーク６２の情報を後処理ＪＤＦデータに記載する（破線の枠内参照）ことによって、メインのレジストレーションマーク６１が同じ位置及びサイズでも、印刷物と後処理ＪＤＦデータとの対応付けが可能になる。
【００５９】
なお、図６乃至図１０では、レジストレーションマーク６１をＬ字状とし、追加マーク６２を線状としたが、レジストレーションマーク６１や追加マーク６２の形態は後処理装置４０が認識可能な限りにおいて適宜変更可能である。例えば、図１１（ａ）に示すように、Ｌ字の横線や縦線（ここでは横線）の長さを変えてもよいし、図１１（ｂ）に示すように、十字状にしたり、Ｔ字状にしたり、矩形状にしたりしてもよい。また、レジストレーションマーク６１や追加マーク６２の色も任意であり、図１１（ｃ）に示すように、色を変えてもよい（図ではハッチングの種類を変えて色を表現している）。
【００６０】
図５のフローチャート図に戻って、画像形成装置３０は、管理装置２０からＰＤＦデータと印刷用ＪＤＦデータを受信すると、それらに基づいて用紙に原稿のページ画像６０とレジストレーションマーク６１（必要に応じて追加マーク６２）を印刷し、ユーザは印刷物を後処理装置４０にセットする（Ｓ１０７）。
【００６１】
後処理装置４０は、管理装置２０から後処理用ＪＤＦデータを受信すると、制御部４１（ＪＤＦ解析部４１ａ）は、後処理用ＪＤＦデータを解析して、レジストレーションマーク６１を特定（レジストレーションマーク６１の形状、位置、サイズなどを特定）する（Ｓ１０８）。そして、制御部４１（マーク比較部４１ｂ）は、ＪＤＦ解析部４１ａが特定したレジストレーションマーク６１の画像を表示操作部４７に表示し、実際の印刷物と画面とでレジストレーションマーク６１が比較できるようにする（Ｓ１０９）。
【００６２】
図１２は、表示操作部４７に表示されるジョブ選択画面７０の一例であり、このジョブ選択画面７０には、ジョブの一覧が表示されると共に、ジョブ（ここではＩＤが２のジョブ）を選択すると、選択されたジョブの後処理用ＪＤＦデータに基づいて特定したレジストレーションマーク６１が表示される。また、ここでは、ジョブ選択画面７０にレジストレーションマーク６１を表示したが、例えば、図１３（ａ）に示すジョブ選択画面７０でジョブを選択すると、図１３（ｂ）に示すマーク確認画面７１に遷移し、このマーク確認画面７１に、選択されたジョブの後処理用ＪＤＦデータに基づいて特定したレジストレーションマーク６１が表示されるようにしてもよい。
【００６３】
なお、レジストレーションマーク６１の表示方法は任意であり、図１２及び図１３の構成に限定されない。例えば、図１２では、ジョブを選択すると、そのジョブに対応するレジストレーションマーク６１が表示されるようにしたが、ジョブの一覧の中に各ジョブに対応するレジストレーションマーク６１を表示するようにしてもよい。また、レジストレーションマーク６１の画像に加えて、又は、レジストレーションマーク６１の画像に代えて、位置やサイズの情報を表示してもよい。
【００６４】
再び、図５のフローチャート図に戻って、ユーザは、印刷物に実際に印刷されているレジストレーションマーク６１と、ジョブ選択画面７０やマーク確認画面７１などに表示されているレジストレーションマーク６１とを比較し、両者が一致している場合はジョブ選択画面７０やマーク確認画面７１に表示されているジョブ実行ボタンなどを押下する。制御部４１は、ユーザ操作を監視して双方のレジストレーションマーク６１がマッチングしたか（すなわち、ジョブ実行が指示されたか）を判断し（Ｓ１１０）、双方のレジストレーションマーク６１がマッチングした場合は（Ｓ１１０のＹｅｓ）、後処理用ＪＤＦデータに従って、セットされた印刷物に対して後処理を実行し（Ｓ１１１）、双方のレジストレーションマーク６１がマッチングしなかった場合は（Ｓ１１０のＮｏ）、セットされた印刷物に対して後処理を実行せずに、表示操作部４７にその旨を通知する警告画面を表示したり、警告音を鳴らしたり、警告ランプを点灯／点滅させたりして、ユーザに警告する（Ｓ１１２）。
【００６５】
このように、後加工を行う際に、実際に印刷されたレジストレーションマーク６１の情報と後処理用ＪＤＦデータに基づいて特定したレジストレーションマーク６１の情報とを比較できるようにすることにより、印刷物とマッチングしない後処理用ＪＤＦデータに基づいて、印刷物に対して後処理が実行されるといった不具合を未然に防止することができる。また、両者がマッチングしない場合は、後処理を実行しないでユーザに警告することにより、不適切な後処理の実行を確実に防止することができる。
【実施例２】
【００６６】
次に、本発明の第２の実施例に係る印刷システム、後処理制御方法及び後処理制御プログラムについて、図１４乃至図１７を参照して説明する。図１４は、本実施例の後処理装置の構成を示すブロック図であり、図１５は、本実施例の印刷システムの動作を示すフローチャート図である。また、図１６及び図１７は、本実施例の表示画面の一例である。
【００６７】
前記した第１の実施例では、ユーザが印刷物に印刷されたレジストレーションマークと画面に表示されたレジストレーションマークとを比較する場合について記載したが、この方法ではレジストレーションマークの正確な比較が難しい場合がある。そこで、本実施例では、印刷物に印刷されたレジストレーションマークを読み取り、画面上で両者を比較できるようにする。その場合、管理装置２０及び画像形成装置３０の構成は第１の実施例と同様であるが、図１４に示すように、後処理装置４０は画像読取部４９を備える。
【００６８】
この画像読取部４９は、例えば、印刷物をセットする給紙トレイと後処理を実行する後処理部４８とを繋ぐ経路上などに設けられたセンサなどで構成され、センサが検出した信号を出力する。なお、レジストレーションマークの色を変える場合は、上記センサをＲＧＢの３種類のセンサなどで構成し、ＲＧＢ値を出力するようにすればよい。また、画像読取部４９は、用紙の全体を検出する必要はなく、レジストレーションマークのみを検出すればよい。また、上述したセンサの代わりに、ＣＣＤ（Charge Coupled Devices）カメラなどを利用してもよい。
【００６９】
また、制御部４１のマーク比較部４１ｂは、ＪＤＦ解析部４１ａが後処理用ＪＤＦを解析して特定したレジストレーションマークの情報と、画像読取部４９が印刷物から読み取ったレジストレーションマークの情報とを比較可能に表示したり、双方のレジストレーションマークの画像を公知のパターン認識手法を用いて比較し、双方のレジストレーションマークが一致するかを自動的に判断したりする。また、マーク比較部４１ｂは、双方のレジストレーションマークが一致しない場合は、セットされた印刷物に対して後処理を実行せずに、表示操作部４７にその旨を通知する警告画面を表示したり、警告音を鳴らしたり、警告ランプを点灯／点滅させたりして、ユーザに警告する。
【００７０】
以下、本実施例の印刷システム１０の動作について説明する。特に、後処理装置４０のＣＰＵ４２は、ＲＯＭ４３又は記憶部４５に記憶した後処理制御プログラムをＲＡＭ４４に展開して実行することにより、図１５のフローチャート図に示すＳ２０８〜Ｓ２１３の各ステップの処理を実行する。
【００７１】
第１の実施例と同様に、管理装置２０の制御部２１（面付けアプリケーション２１ａ）は、ジョブの原稿のページ画像を面付けする（Ｓ２０１）。次に、制御部２１（面付けアプリケーション２１ａ）は、面付けした原稿が同一のジョブであるかを判断し（Ｓ２０２）、同一のジョブであれば（Ｓ２０２のＹｅｓ）、用紙の余白領域に、位置及びサイズを変えずにレジストレーションマークを付加し（Ｓ２０３）、同一のジョブでない場合は（Ｓ２０２のＮｏ）、用紙の余白領域に、位置及び／又はサイズを変えてレジストレーションマークを付加する（Ｓ２０４）。
【００７２】
そして、制御部２１（ジョブ管理アプリケーション２１ｂ）は、面付けデータを、印刷データ（ＰＤＦデータ）に変換すると共に、印刷用ＪＤＦデータ及び後処理用ＪＤＦデータを作成し（Ｓ２０５）、ＰＤＦデータと印刷用ＪＤＦデータを画像形成装置３０に送信し、後処理用ＪＤＦデータを後処理装置４０に送信する（Ｓ２０６）。
【００７３】
次に、画像形成装置３０は、管理装置２０からＰＤＦデータと印刷用ＪＤＦデータを受信すると、それらに基づいて用紙に原稿のページ画像６０とレジストレーションマーク６１（必要に応じて追加マーク６２）を印刷し、ユーザは印刷物を後処理装置４０にセットする（Ｓ２０７）。
【００７４】
後処理装置４０は、印刷物がセットされると、画像読取部４９は、セットされた印刷物をスキャンしてレジストレーションマーク６１を読み取る（Ｓ２０８）。また、制御部４１（ＪＤＦ解析部４１ａ）は、管理装置２０から受信した後処理用ＪＤＦを解析して、レジストレーションマーク６１を特定する（Ｓ２０９）。そして、制御部４１（マーク比較部４１ｂ）は、画像読取部４９が読み取った印刷物に印刷されているレジストレーションマーク６１と、後処理用ＪＤＦが特定したレジストレーションマーク６１とを比較可能に表示操作部４７に表示する（Ｓ２１０）。
【００７５】
図１６は、表示操作部４７に表示されるジョブ選択画面７０の一例であり、このジョブ選択画面７０には、ジョブの一覧が表示されると共に、ジョブ（ここではＩＤが２のジョブ）を選択すると、そのジョブの後処理用ＪＤＦに基づいて特定したレジストレーションマーク６１と印刷物から読み取ったレジストレーションマーク６１とが比較可能に表示される。また、図１７（ａ）に示すジョブ選択画面７０でジョブを選択すると、図１７（ｂ）に示すマーク確認画面７１に遷移し、このマーク確認画面７１に、選択されたジョブの後処理用ＪＤＦデータに基づいて特定したレジストレーションマーク６１と印刷物から読み取ったレジストレーションマーク６１とが比較可能に表示されるようにしてもよい。なお、レジストレーションマーク６１の表示方法は任意であり、図１６及び図１７の構成に限定されない。
【００７６】
図１５のフローチャート図に戻って、ユーザは、ジョブ選択画面７０やマーク確認画面７１などに表示されている双方のレジストレーションマーク６１を比較し、両者が一致している場合はジョブ選択画面７０やマーク確認画面７１に表示されているジョブ実行ボタンなどを押下する。制御部４１は、ユーザ操作を監視して双方のレジストレーションマーク６１がマッチングしたか（すなわち、ジョブ実行が指示されたか）を判断し（Ｓ２１１）、双方のレジストレーションマーク６１がマッチングした場合は（Ｓ２１１のＹｅｓ）、後処理用ＪＤＦデータに従って、セットされた印刷物に対して後処理を実行し（Ｓ２１２）、双方のレジストレーションマーク６１がマッチングしなかった場合は（Ｓ２１１のＮｏ）、セットされた印刷物に対して後処理を実行せずに、表示操作部４７にその旨を通知する警告画面を表示したり、警告音を鳴らしたり、警告ランプを点灯／点滅させたりして、ユーザに警告する（Ｓ２１３）。
【００７７】
なお、上記では、後処理用ＪＤＦデータから取得したレジストレーションマーク６１と実際の印刷物から読み取ったレジストレーションマーク６１とを比較可能に表示し、両者がマッチングしているかをユーザが判断する構成としたが、制御部４１が、公知のパターン認識手法を用いて双方のレジストレーションマーク６１を比較してマッチングしているか否かを自動的に判断してもよい。
【００７８】
このように、後加工を行う際に、実際に印刷されたレジストレーションマーク６１から読み取ったレジストレーションマーク６１の情報と後処理用ＪＤＦデータに基づいて特定したレジストレーションマーク６１の情報とを画面上で比較できるようにすることにより、印刷物とマッチングしない後処理用ＪＤＦデータに基づいて、印刷物に対して後処理が実行されるといった不具合を未然に防止することができる。また、両者がマッチングしない場合は、後処理を実行しないでユーザに警告することにより、不適切な後処理の実行を確実に防止することができる。
【００７９】
なお、本発明は上記実施例に限定されるものではなく、本発明の趣旨を逸脱しない限りにおいて、その構成や制御は適宜変更可能である。
【００８０】
例えば、上記各実施例では、ジョブ毎にレジストレーションマーク６１の位置及び／又はサイズを変更する場合について記載したが、ジョブ毎に、レジストレーションマーク６１の位置、サイズ、形状、色の中から選択される少なくとも１つを変更する場合に対して、本発明の後処理制御方法を同様に適用することができる。
【００８１】
また、上記各実施例では、原稿のページ画像を面付けした印刷物に対して後処理として断裁を行う場合について記載したが、レジストレーションマーク６１を用いた位置合わせを必要とする任意の印刷物に対する任意の後処理に対して、本発明の後処理制御方法を同様に適用することができる。
【産業上の利用可能性】
【００８２】
本発明は、画像形成装置と後処理装置とを含む印刷システム、当該印刷システムにおける後処理を制御する後処理制御方法、後処理装置で動作する後処理制御プログラム及び当該後処理制御プログラムを記録した記録媒体に利用可能である。
【符号の説明】
【００８３】
１０  印刷システム
２０  管理装置
２１  制御部
２１ａ  面付けアプリケーション
２１ｂ  ジョブ管理アプリケーション
２２  ＣＰＵ
２３  ＲＯＭ
２４  ＲＡＭ
２５  記憶部
２６  ネットワークＩ／Ｆ部
２７  表示部
２８  操作部
３０  画像形成装置
３１  制御部
３２  ＣＰＵ
３３  ＲＯＭ
３４  ＲＡＭ
３５  記憶部
３６  ネットワークＩ／Ｆ部
３７  表示操作部
３８  画像処理部
３９  印刷処理部
４０  後処理装置
４１  制御部
４１ａ  ＪＤＦ解析部
４１ｂ  マーク比較部
４２  ＣＰＵ
４３  ＲＯＭ
４４  ＲＡＭ
４５  記憶部
４６  ネットワークＩ／Ｆ部
４７  表示操作部
４８  後処理部
４９  画像読取部
５０  通信ネットワーク
６０  ページ画像
６１  レジストレーションマーク
６２  追加マーク
７０  ジョブ選択画面
７１  マーク確認画面
【図１】
2019104614.tif 000003
【図２】
2019104614.tif 000004
【図３】
2019104614.tif 000005
【図４】
2019104614.tif 000006
【図５】
2019104614.tif 000007
【図６】
2019104614.tif 000008
【図７】
2019104614.tif 000009
【図８】
2019104614.tif 000010
【図９】
2019104614.tif 000011
【図１０】
2019104614.tif 000012
【図１１】
2019104614.tif 000013
【図１２】
2019104614.tif 000014
【図１３】
2019104614.tif 000015
【図１４】
2019104614.tif 000016
【図１５】
2019104614.tif 000017
【図１６】
2019104614.tif 000018
【図１７】
2019104614.tif 000019
【図１８】
2019104614.tif 000020